(57)【要約】【課題】無垢材のような比較的強度の弱い材質の木材を用いて非専門家が容易に施工することのできる床板を提供する。【解決手段】雄実部１０には、本体３０の上面４１近傍より本体部３０から雄実部１０への方向に向かって斜め下向きに突出する凸部（雄実側凸部）１０１が設けられる。雌実部２０には、本体３０の上面４１および下面４２それぞれの近傍より本体部３０から雌実部２０への方向に向かって突出する凸部（雌実側第１凸部、雌実側第２凸部）２０１、２０２が設けられる。ここで、雄実側凸部１０１は、雌実側第１凸部２０１と本体部３０と雌実側第２凸部２０２とによって形成される凹部（雌実側凹部）２０３に嵌合可能なように形成され、雄実側凸部１０１の厚さは、本体部３０の上面４１と下面４２との距離の２分の１よりも大きくされる。【選択図】図１
2009221778.tif 000002
【特許請求の範囲】
【請求項１】
本体部と、前記本体部の一端側に設けられた雄実部と、前記本体部の他端側に設けられた雌実部とから成る床板であって、
前記雄実部は、前記本体部から前記雄実部への方向である第１の方向に向かって斜め下向きに突出するように形成された雄実側凸部を備え、
前記雌実部は、前記本体部の他端側のうち前記本体部の一方の面である上面近傍より前記本体部から前記雌実部への方向である第２の方向に向かって突出するように形成された雌実側第１凸部と、前記本体部の他端側のうち前記本体部の他方の面である下面近傍より前記第２の方向に向かって突出するように形成された雌実側第２凸部とを備え、
前記雄実側凸部は、前記上面近傍より前記第１の方向に向かって下り勾配となる傾斜面を形成する雄実側凸部内上面向き傾斜部と、前記雄実側凸部内上面向き傾斜部の下面側の一端より前記上面とほぼ平行に前記第１の方向に向かって延びる雄実側凸部内上面向き平面部と、前記雄実側凸部内上面向き平面部の前記第１の方向側の一端より前記下面方向に向かって延びる雄実側凸部内先端部と、前記雄実側凸部内先端部の下面側の一端より前記第２の方向に向かって下り勾配となる傾斜面を形成する雄実側凸部内下面向き傾斜部と、前記雄実側凸部内下面向き傾斜部の下面側の一端より前記第２の方向に向かって上り勾配となる傾斜面であって前記雄実側凸部内上面向き傾斜部上の一点またはその近傍の点を中心とする断面円弧状の傾斜面を形成する雄実側凸部内円弧部とを含み、
前記雌実側第１凸部は、前記上面近傍より前記第１の方向に向かって下り勾配となる傾斜面を形成する雌実側第１凸部内下面向き傾斜部と、前記雌実側第１凸部内下面向き傾斜部の下面側の一端より前記上面とほぼ平行に前記第１の方向に向かって延びる雌実側第１凸部内下面向き平面部とを含み、
前記雌実側第２凸部は、前記本体部の他端より前記第２の方向に向かって下り勾配となる傾斜面を形成する雌実側第２凸部内第１上面向き傾斜部と、前記雌実側第２凸部内第１上面向き傾斜部の下面側の一端より前記第２の方向に向かって上り勾配となる傾斜面を形成する雌実側第２凸部内第２上面向き傾斜部とを含み、
前記雄実側凸部は、前記雌実側第１凸部と前記本体部の他端側の面と前記雌実側第２凸部とによって形成される凹部に嵌合可能なように形成され、
前記雄実側凸部内上面向き傾斜部と前記雄実側凸部内円弧部との距離は、前記本体部の上面と下面との距離の２分の１よりも大きいことを特徴とする、床板。
【請求項２】
前記床板は無垢材から成ることを特徴とする、請求項１に記載の床板。
【請求項３】
前記雌実側第１凸部と前記本体部の他端側の面と前記雌実側第２凸部とによって形成される凹部と前記雄実側凸部とが互いに嵌合する際、前記雌実側第１凸部内下面向き傾斜部の上面側の一端と前記雄実側凸部内上面向き傾斜部、前記雄実側凸部内上面向き平面部と前記雌実側第１凸部内下面向き平面部、および、前記雌実側第２凸部内第２上面向き傾斜部の上面側の一端と前記雄実側凸部内円弧部のみが互いに接することを特徴とする、請求項１または２に記載の床板。
【請求項４】
前記本体部の下面と前記雌実側第１凸部内下面向き傾斜部とのなす角度が４５〜６５度であって、前記本体部の下面と前記雌実側第２凸部内第１上面向き傾斜部とのなす角度が１５〜２５度であって、前記本体部の下面と前記雌実側第２凸部内第２上面向き傾斜部とのなす角度が３８〜４８度であることを特徴とする、請求項１から３までのいずれか１項に記載の床板。
【発明の詳細な説明】
【技術分野】
【０００１】
本発明は、床板に関し、特に床板同士の接合部の構造に関する。
【背景技術】
【０００２】
従来より、住居等の床を形成するための部材として図１４に示すような断面を有する床板が知られている。図１４に示すように、床板の一方の端部には凸状に加工が施された雄実８１が設けられており、他方の端部には凹状に加工が施された雌実８２が設けられている。床を形成する際には、一般的には下地材上に上述のような床板が敷設される。その際、図１５に示すように、今から敷設しようとする床板８３を敷設済みの床板８４方向に向かって下地材９に平行に移動させることによって、敷設済みの床板８４の雄実８１と今から敷設しようとする床板８３の雌実８２とが互いに嵌合させられる。
【０００３】
特許第３７４２６５８号公報には、雄実と雌実とに図１６に示すような湾曲部８５を設けた床板についての発明が開示されている。この床板によれば、湾曲部８５が機械的ロック手段として機能することにより、敷設済みの床板間に隙間が生じることが抑制される。また、この床板によれば、図１７に示すように、今から敷設しようとする床板の雄実８６が下となるように（床板）を傾斜させた状態から雄実８６と雌実８７とを互いに嵌合させることができるので、床板の敷設が比較的容易になる。
【特許文献１】特許第３７４２６５８号公報
【発明の開示】
【発明が解決しようとする課題】
【０００４】
ところで、近年、化学物質等を使用することなく例えば無垢材のような自然素材を活かして住宅の建築やリフォームが行われることが多々ある。また、建築の専門家以外の者（ここでは「非専門家」という。）が日曜大工として住宅の床板の敷設を行うことも多々ある。ところが、図１４に示す従来技術に係る床板によると、床板が動くことによって敷設済みの床板間に隙間が生じることのないよう、床板と下地材９との間には接着剤が使用される。このような接着剤には有害な化学物質が含まれることがあるので、自然志向の者にとっては好ましくない。また、接着剤の使用に替えて（あるいは接着剤の使用とともに）図１８に示すように釘８８によって床板が下地材９に固定されることもあるが、そのための作業は非専門家にとっては困難が伴うことがある。また、上記特許第３７４２６５８号公報に開示された発明は、硬質床板から成る型の床板の発明であるので、無垢材のような比較的強度の弱い木材を使用した床板には適用されない。
【０００５】
そこで、本発明は、例えば無垢材のような比較的強度の弱い材質の木材を用いて非専門家が容易に施工することのできる床板を提供することを目的とする。
【課題を解決するための手段】
【０００６】
第１の発明は、本体部と、前記本体部の一端側に設けられた雄実部と、前記本体部の他端側に設けられた雌実部とから成る床板であって、
前記雄実部は、前記本体部から前記雄実部への方向である第１の方向に向かって斜め下向きに突出するように形成された雄実側凸部を備え、
前記雌実部は、前記本体部の他端側のうち前記本体部の一方の面である上面近傍より前記本体部から前記雌実部への方向である第２の方向に向かって突出するように形成された雌実側第１凸部と、前記本体部の他端側のうち前記本体部の他方の面である下面近傍より前記第２の方向に向かって突出するように形成された雌実側第２凸部とを備え、
前記雄実側凸部は、前記上面近傍より前記第１の方向に向かって下り勾配となる傾斜面を形成する雄実側凸部内上面向き傾斜部と、前記雄実側凸部内上面向き傾斜部の下面側の一端より前記上面とほぼ平行に前記第１の方向に向かって延びる雄実側凸部内上面向き平面部と、前記雄実側凸部内上面向き平面部の前記第１の方向側の一端より前記下面方向に向かって延びる雄実側凸部内先端部と、前記雄実側凸部内先端部の下面側の一端より前記第２の方向に向かって下り勾配となる傾斜面を形成する雄実側凸部内下面向き傾斜部と、前記雄実側凸部内下面向き傾斜部の下面側の一端より前記第２の方向に向かって上り勾配となる傾斜面であって前記雄実側凸部内上面向き傾斜部上の一点またはその近傍の点を中心とする断面円弧状の傾斜面を形成する雄実側凸部内円弧部とを含み、
前記雌実側第１凸部は、前記上面近傍より前記第１の方向に向かって下り勾配となる傾斜面を形成する雌実側第１凸部内下面向き傾斜部と、前記雌実側第１凸部内下面向き傾斜部の下面側の一端より前記上面とほぼ平行に前記第１の方向に向かって延びる雌実側第１凸部内下面向き平面部とを含み、
前記雌実側第２凸部は、前記本体部の他端より前記第２の方向に向かって下り勾配となる傾斜面を形成する雌実側第２凸部内第１上面向き傾斜部と、前記雌実側第２凸部内第１上面向き傾斜部の下面側の一端より前記第２の方向に向かって上り勾配となる傾斜面を形成する雌実側第２凸部内第２上面向き傾斜部とを含み、
前記雄実側凸部は、前記雌実側第１凸部と前記本体部の他端側の面と前記雌実側第２凸部とによって形成される凹部に嵌合可能なように形成され、
前記雄実側凸部内上面向き傾斜部と前記雄実側凸部内円弧部との距離は、前記本体部の上面と下面との距離の２分の１よりも大きいことを特徴とする。
【０００７】
第２の発明は、第１の発明において、
前記床板は無垢材から成ることを特徴とする。
【０００８】
第３の発明は、第１または第２の発明において、
前記雌実側第１凸部と前記本体部の他端側の面と前記雌実側第２凸部とによって形成される凹部と前記雄実側凸部とが互いに嵌合する際、前記雌実側第１凸部内下面向き傾斜部の上面側の一端と前記雄実側凸部内上面向き傾斜部、前記雄実側凸部内上面向き平面部と前記雌実側第１凸部内下面向き平面部、および、前記雌実側第２凸部内第２上面向き傾斜部の上面側の一端と前記雄実側凸部内円弧部のみが互いに接することを特徴とする。
【０００９】
第４の発明は、第１から第３までのいずれかの発明において、
前記本体部の下面と前記雌実側第１凸部内下面向き傾斜部とのなす角度が４５〜６５度であって、前記本体部の下面と前記雌実側第２凸部内第１上面向き傾斜部とのなす角度が１５〜２５度であって、前記本体部の下面と前記雌実側第２凸部内第２上面向き傾斜部とのなす角度が３８〜４８度であることを特徴とする。
【発明の効果】
【００１０】
上記第１の発明によれば、雄実部と雌実部とが互いに嵌合する際、「断面円弧状の傾斜面を形成する雄実側凸部内円弧部」と「上り勾配の傾斜面を形成する雌実側第２凸部内第２上面向き傾斜部」とが互いに対向するように構成されている。雄実側凸部内円弧部と雌実側第２凸部内第２上面向き傾斜部とは二次元的には点接触となるので、雄実部と雌実部とを嵌合させる際の摩擦が比較的小さくなり、敷設済みの床板の雌実部に今から敷設しようとする床板の雄実部をスムーズに（滑らかに）挿入することができる。また、床板の雄実部には、雄実部の先端部から第２の方向（本体部から雌実部への方向）に向かって下り勾配となる雄実側凸部内下面向き傾斜部と、当該雄実側凸部内下面向き傾斜部の一端から更に第２の方向に向かって上り勾配となる雄実側凸部内円弧部とが設けられる。一方、床板の雌実部には、本体部から第２の方向に向かって下り勾配となる雌実側第２凸部内第１上面向き傾斜部と、当該雌実側第２凸部内第１上面向き傾斜部の一端から更に第２の方向に向かって上り勾配となる雌実側第２凸部内第２上面向き傾斜部とが設けられる。これにより、雄実側凸部内下面向き傾斜部と雄実側凸部内円弧部によって形成される凸面と雌実側第２凸部内第１上面向き傾斜部と雌実側第２凸部内第２上面向き傾斜部とによって形成される凹面とが互いに嵌合し、床板の敷設後に、床板が動くことによって敷設済みの床板間に隙間が生じることが抑制される。このため、接着剤や釘を使用することなく、床板が下地材上に固定される。さらに、雄実側凸部内上面向き傾斜部と雄実側凸部内円弧部との距離は本体部の厚さの２分の１よりも大きくされるので、圧力が加わることによる雄実部の破損が抑制される。
【００１１】
上記第２の発明によれば、無垢材から成る床板において、下地材上への敷設後に床板が動くことによって床板間に隙間が生じることが抑制され、また、圧力が加わることによる雄実部の破損が抑制される。
【００１２】
上記第３の発明によれば、雄実部と雌実部とは、互いに嵌合する際に３つの接線のみ（二次元的には３点のみ）で接するように構成されている。このため、雄実部と雌実部とを嵌合させる際に、高い安定性が得られるとともに、敷設済みの床板の雌実部に今から敷設しようとする床板の雄実部をスムーズに（滑らかに）挿入することができる。
【００１３】
上記第４の発明によれば、各構成要素間のなす角度が適当な角度となるので、床板の敷設作業が容易となる。
【発明を実施するための最良の形態】
【００１４】
以下、添付図面を参照しつつ本発明の一実施形態について説明する。
【００１５】
＜１．床板の構成＞
図２は、本発明の一実施形態に係る床板の斜視図である。この床板の全体の大きさについては、例えば、長さＬは２０００ｍｍ，幅Ｗは１５０ｍｍ，高さ（厚さ）Ｈは３０ｍｍとなっている。図１は、図２のＡ−Ａ線断面図である。図１に示すように、この床板の幅方向についての一端には凸状に加工が施された雄実が設けられ、他端には凹状に加工が施された雌実が設けられている。これら雄実と雌実とは互いに嵌合可能なように形成されている。なお、以下の説明においては、図１に示すように、床板のうち雄実を構成する部分を雄実部１０といい、雌実を構成する部分を雌実部２０といい、それら雄実部１０と雌実部２０とを除く部分を本体部３０という。また、床板を下地材上に敷設するときに下地材と接する面を下面４２といい、他方の面を上面４１という。また、本体部３０から雄実部１０へと向かう方向を「第１の方向」といい、本体部３０から雌実部２０へと向かう方向を「第２の方向」という。
【００１６】
図１に示すように、この床板の一端（図１では本体部３０の左側）には、床板の上面４１側より第１の方向に向かって斜め下向きに突出するように形成された凸部（以下、「雄実側凸部」という。）１０１が設けられている。このように雄実側凸部１０１が形成されることにより、雄実側凸部１０１と本体部３０との間に凹部（以下、「雄実側凹部」という）１０２が形成されている。一方、この床板の他端（図１では本体部３０の右側）には、上面４１側と下面４２側とにそれぞれ本体部３０から第２の方向に向かって突出するように形成された凸部（以下、上面４１側に形成された凸部を「雌実側第１凸部」といい、下面４２側に形成された凸部を「雌実側第２凸部」という。）２０１，２０２が設けられている。このように雌実側第１凸部２０１および雌実側第２凸部２０２が形成されることにより、雌実側第１凸部２０１と本体部３０と雌実側第２凸部２０２との間に雌実側凹部２０３が形成されている。
【００１７】
次に、図３〜図６を参照しつつ、雄実部１０の詳細な構成について説明する。図３，図４，および図６は、雄実部１０の拡大図である。また、図５は、図３で符号１３で示す部分（後述の先端部）の拡大図である。図３において、Ｂ１は８．０ｍｍ，Ｂ２は６．８ｍｍ，Ｂ３は４．８ｍｍ，Ｂ４は５．６ｍｍ，Ｂ５は９．０ｍｍ，Ｂ６は７．０ｍｍとなっている。図４において、Ｃ１は４．８ｍｍ，Ｃ２は４．６ｍｍ，Ｃ３は８．２ｍｍ，Ｃ４は４．０ｍｍ，Ｃ５は３．０ｍｍ，Ｃ６は１４．２ｍｍ，Ｃ７は１５．２ｍｍとなっている。図５において、Ｃ８は０．５ｍｍ，Ｃ９は１．０ｍｍとなっている。
【００１８】
図３に示すように、この床板の雄実部１０には、上面４１の一端から第１の方向に向かって下り勾配となる上面向き傾斜部１１と、上面向き傾斜部１１の下面４２側の一端から第１の方向に向かって上面と平行に延びる上面向き平面部１２と、上面向き平面部１２の第１の方向側の一端から下面４２方向に向かって延びる先端部１３と、先端部１３から第２の方向に向かって下り勾配となる下面向き傾斜部１４と、上面向き傾斜部１１の所定の１点を中心とする断面円弧状の傾斜部であって下面向き傾斜部１４の下面４２側の一端から第２の方向に向かって上り勾配となる傾斜部を形成する円弧部１５と、円弧部１５の第２の上面４１側の一端から第２の方向に向かって上面４１と平行に延びる下面向き平面部１６と、下面向き平面部１６の第２の方向側の一端から下面４２方向に向かって延びる楕円弧部１７と、楕円弧部１７の下面４２側の一端から下面４２に向かって垂直に延びる垂直部１８とが形成されている。なお、本実施形態においては、上面向き傾斜部１１によって雄実側凸部内上面向き傾斜部が実現され、上面向き平面部１２によって雄実側凸部内上面向き平面部が実現され、先端部１３によって雄実側凸部内先端部が実現され、下面向き傾斜部１４によって雄実側凸部内下面向き傾斜部が実現され、円弧部１５によって雄実側凸部内円弧部が実現されている。
【００１９】
また、図６に示すように、上面４１の一端から第１の方向に延びる仮想的なライン５１と上面向き傾斜部１１とのなす角度は６０度となっている。下面向き傾斜部１４と円弧部１５との交点から下面４２と平行に第１の方向に延びる仮想的なライン５２と下面向き傾斜部１４とのなす角度は２０度となっている。
【００２０】
さらに、図６に示すように、円弧部１５の半径は１８．５ｍｍとなっている。このように、円弧部１５の半径については、雄実側凸部１０１に充分な厚みを持たせるために、本体部３０の高さ（厚さ）Ｈの２分の１よりも大きくされる。
【００２１】
次に、図７〜図９を参照しつつ、雌実部２０の詳細な構成について説明する。図７〜図９は、雌実部２０の拡大図である。図７において、Ｅ１は２．１ｍｍ，Ｅ２は５．９ｍｍ，Ｅ３は８．０ｍｍ，Ｅ４は５．７ｍｍ，Ｅ５は８．３ｍｍとなっている。図８において、Ｆ１は５．１ｍｍ，Ｆ２は２．０ｍｍ，Ｆ３は３．１ｍｍ，Ｆ４は６．１ｍｍ，Ｆ５は４．０ｍｍ，Ｆ６は３．０ｍｍ，Ｆ７は１６．２ｍｍ，Ｆ８は１３．１ｍｍとなっている。
【００２２】
図７に示すように、この床板の雌実部２０には、上面４１から第２の方向に向かって下り勾配となる第１の上面向き傾斜部２１と、第１の上面向き傾斜部２１の下面４２側の一端から第１の方向に向かって下り勾配となる下面向き傾斜部２２と、下面向き傾斜部２２の下面４２側の一端から第１の方向に向かって延びる円弧部２３と、円弧部２３の第１の方向側の一端から第１の方向に向かって上面４１と平行に延びる下面向き平面部２４と、下面向き平面部２４の第１の方向側の一端から下面４２方向に向かって垂直に延びる第１の垂直部２５と、第１の垂直部２５の下面４２側の一端から第２の方向に向かって下り勾配となる第２の上面向き傾斜部２６と、第２の上面向き傾斜部２６の下面４２側の一端から第２の方向に向かって上り勾配となる第３の上面向き傾斜部２７と、第３の上面向き傾斜部２７の上面４１側の一端から第２の方向に向かって上面４１と平行に延びる上面向き平面部２８と、上面向き平面部２８の第２の方向側の一端から下面４２方向に向かって延びる楕円弧部２９と、楕円弧部２９の下面４２側の一端から下面４２に向かって垂直に延びる第２の垂直部３１とが形成されている。なお、本実施形態においては、下面向き傾斜部２２によって雌実側第１凸部内下面向き傾斜部が実現され、下面向き平面部２４によって雌実側第１凸部内下面向き平面部が実現されている。また、第２の上面向き傾斜部２６によって雌実側第２凸部内第１上面向き傾斜部が実現され、第３の上面向き傾斜部２７によって雌実側第２凸部内第２上面向き傾斜部が実現されている。
【００２３】
また、図９に示すように、上面４１の一端から第２の方向に延びる仮想的なライン５３と第１の上面向き傾斜部２１とのなす角度は６０度となっている。下面向き傾斜部２２と円弧部２３との交点から第２の方向に延びる仮想的なライン５４と下面向き傾斜部２２とのなす角度は５５度となっている。第２の上面向き傾斜部２６と第３の上面向き傾斜部２７との交点から第１の方向に向かって延びる仮想的なライン５５と第２の上面向き傾斜部２６とのなす角度は２０度となっている。第２の上面向き傾斜部２６と第３の上面向き傾斜部２７とのなす角度は１１７度となっている。第２の上面向き傾斜部２６と第３の上面向き傾斜部２７との交点から第２の方向に向かって延びる仮想的なライン５６と第３の上面向き傾斜部２７とのなす角度は４３度となっている。
【００２４】
図１０は、以上のように構成された雄実部１０と雌実部２０とが嵌合した状態を示す図である。図１０に示すように、雄実部１０と雌実部２０とは、符号Ｐ１，Ｐ２，およびＰ３で示す３箇所のみで接する。詳しくは、雄実部１０と雌実部２０とが嵌合する際には、雌実部２０の下面向き傾斜部２２の上面４１側の一端と雄実部１０の上面向き傾斜部１１とが接し、雄実部１０の上面向き平面部１２と雌実部２０の下面向き平面部２４とが接し、雌実部２０の第３の上面向き傾斜部２７の上面側の一端と雄実部１０の円弧部１５とが接する。そして、それら以外に雄実部１０と雌実部２０とが互いに接する箇所はない。
【００２５】
＜２．施工手順＞
次に、下地材９へのこの床板の敷設手順（施工手順）について、図１１を参照しつつ説明する。まず、図１１（ａ）に示すように、（雌実部２０に対して）雄実部１０が斜め下向きとなるように今から敷設しようとする床板６２を傾斜させ、当該床板６２の雄実部１０を敷設済みの床板６１の雌実部２０に向けて移動させる。そして、敷設済みの床板６１の雌実部２０に今から敷設しようとする床板６２の雄実部１０を接触させる。このとき、図１１（ｂ）に示すように、（いずれの断面においても）雄実部１０と雌実部２０とは互いに３点で接する。その後、今から敷設しようとする床板６２を符号６３で示す矢印の方向に回転させる（図１１（ｃ）参照）。そして、今から敷設しようとする床板６２の下面が下地材９と接触すると、図１１（ｄ）に示すような状態となる。
【００２６】
＜３．効果＞
本実施形態によれば、雄実部１０には、先端部１３から第２の方向に向かって下り勾配となる下面向き傾斜部１４と、当該下面向き傾斜部１４の下面４２側の一端から更に第２の方向に向かって上り勾配となる円弧部１５とが設けられている。一方、雌実部２０には、雌実側凹部２０３を形成する最も本体部３０側の第１の垂直部２５の下面４２側の一端から第２の方向に向かって下り勾配となる第２の上面向き傾斜部２６と、当該第２の上面向き傾斜部２６の下面４２側の一端から更に第２の方向に向かって上り勾配となる第３の上面向き傾斜部２７とが設けられている。このため、下面向き傾斜部１４と円弧部１５とによって形成される凸面と第２の上面向き傾斜部２６と第３の上面向き傾斜部２７とによって形成される凹面とが互いに嵌合し、床板が動くことによって敷設済みの床板間に隙間が生じることはない。従って、床板の敷設を行う者は、敷設済みの床板の雌実側凹部２０３に今から敷設しようとする床板の雄実側凸部１０１を嵌めるだけで、床板を下地材９上に固定することができる。このように接着剤や釘を使用することなく床板が下地材９上に固定されるので、非専門家であっても容易に床板の敷設を行うことができる。
【００２７】
また、上述のように、雄実部１０と雌実部２０とは互いに３箇所のみで接するように構成されている。このため、敷設済みの床板の雌実部２０と今から敷設しようとする床板の雄実部１０とを嵌合させようとする際に高い安定性が得られるとともに、雌実部２０への雄実部１０の挿入がスムーズに（滑らかに）行われる。これにより、非専門家にとって床板の敷設作業が容易になる。
【００２８】
さらに、雄実側凸部１０１において、上面向き傾斜部１１と円弧部１５との間には充分な厚みが設けられている。このため、例えば無垢材のような比較的強度の弱い材質の木材が使用されても、圧力が加わることによる雄実側凸部１０１の破損（折れたり割れたりすること）が抑制される。
【００２９】
さらにまた、本実施形態においては、従来の床板（例えば、図１６に示す床板）とは異なり、上面４１から下面４２方向に向かって傾斜部（雄実側凸部１０１内の上面向き傾斜部１１，雌実側第１凸部２０１内の第１の上面向き傾斜部２１および下面向き傾斜部２２）が設けられている。ここで、無垢材の特徴として、「反り」が生じやすい等の理由により、個々の床材のばらつきが大きいことが挙げられる。このため、合板や繊維板から作られた床板とは異なり、精密に接合することが困難である。そこで、嵌合部に多少の隙間が生じるように（余裕を持って）雄実部１０と雌実部２０とを接合する必要がある。本実施形態では上述のように傾斜部１１，２１，２２が設けられているので、上面４１とは垂直の雄実側および雌実側の双方の面が接合する構成の床板と比べて、床板同士の接合部分が目立ちにくく（視認されにくく）なる。これにより、嵌合部の隙間に起因する外観の悪化が抑制される。
【００３０】
＜４．変形例＞
上記実施形態においては、高さ（厚さ）Ｈが３０ｍｍの床板を例に挙げて説明したが、床板の高さについてはこれに限定されない。以下に、床板の高さ（厚さ）Ｈを１５ｍｍにする場合の各構成要素のサイズの一例を示す。図１２において、Ｇ１を４．０ｍｍ，Ｇ２を３．０ｍｍ，Ｇ３を３．０ｍｍ，Ｇ４を８．０ｍｍとする。また、図１３において、Ｊ１を１．０ｍｍ，Ｊ２を２．５ｍｍ，Ｊ３を０．５ｍｍ，Ｊ４を３．０ｍｍ，Ｊ５を３．０ｍｍ，Ｊ６を５．０ｍｍとする。さらに、図１３において、Ｋ１を３．０ｍｍ，Ｋ２を１．０ｍｍ，Ｋ３を１．７ｍｍ，Ｋ４を０．６ｍｍとする。
【００３１】
また、各構成要素どうしのなす角度は図６や図９に示した角度に限定されない。例えば、雌実部２０において、各構成要素どうしのなす角度を以下のようにすることができる。下面向き傾斜部２２と円弧部２３との交点から第２の方向に延びる仮想的なライン５４と下面向き傾斜部２２とのなす角度については４５〜６５度とする。第２の上面向き傾斜部２６と第３の上面向き傾斜部２７との交点から第１の方向に向かって延びる仮想的なライン５５と第２の上面向き傾斜部２６とのなす角度については１５〜２５度とする。第２の上面向き傾斜部２６と第３の上面向き傾斜部２７との交点から第２の方向に向かって延びる仮想的なライン５６と第３の上面向き傾斜部２７とのなす角度については３８〜４８度とする。
【図面の簡単な説明】
【００３２】
【図１】本発明の一実施形態に係る床板の断面図である。
【図２】上記実施形態に係る床板の斜視図である。
【図３】上記実施形態において、雄実部の詳細な構成について説明するための図である。
【図４】上記実施形態において、雄実部の詳細な構成について説明するための図である。
【図５】上記実施形態において、雄実部の詳細な構成について説明するための図である。
【図６】上記実施形態において、雄実部の詳細な構成について説明するための図である。
【図７】上記実施形態において、雌実部の詳細な構成について説明するための図である。
【図８】上記実施形態において、雌実部の詳細な構成について説明するための図である。
【図９】上記実施形態において、雌実部の詳細な構成について説明するための図である。
【図１０】上記実施形態において、床板の接合状態を示す図である。
【図１１】上記実施形態において、下地材への床板の敷設手順について説明するための図である。
【図１２】上記実施形態の変形例に係る床板の雄実部の構成について説明するための図である。
【図１３】上記実施形態の変形例に係る床板の雌実部の構成について説明するための図である。
【図１４】従来例に係る床板の断面図である。
【図１５】従来例において、下地材への床板の敷設手順について説明するための図である。
【図１６】特許第３７４２６５８号公報に記載の床板の断面図である。
【図１７】特許第３７４２６５８号公報に記載の床板について説明するための図である。
【図１８】従来例について説明するための図である。
【符号の説明】
【００３３】
１０…雄実部
１１…上面向き傾斜部
１２…上面向き平面部
１３…先端部
１４…下面向き傾斜部
１５…円弧部
２０…雌実部
２２…下面向き傾斜部
２４…下面向き平面部
２６…第２の上面向き傾斜部
２７…第３の上面向き傾斜部
３０…本体部
１０１…雄実側凸部
１０２…雄実側凹部
２０１…雌実側第１凸部
２０２…雌実側第２凸部
２０３…雌実側凹部
【図１】
2009221778.tif 000003
【図２】
2009221778.tif 000004
【図３】
2009221778.tif 000005
【図４】
2009221778.tif 000006
【図５】
2009221778.tif 000007
【図６】
2009221778.tif 000008
【図７】
2009221778.tif 000009
【図８】
2009221778.tif 000010
【図９】
2009221778.tif 000011
【図１０】
2009221778.tif 000012
【図１１】
2009221778.tif 000013
【図１２】
2009221778.tif 000014
【図１３】
2009221778.tif 000015
【図１４】
2009221778.tif 000016
【図１５】
2009221778.tif 000017
【図１６】
2009221778.tif 000018
【図１７】
2009221778.tif 000019
【図１８】
2009221778.tif 000020